(57)【要約】      （修正有）【課題】設備リストを同期する方法、装置、設備及びコンピュータ記憶媒体を提供する。【解決手段】スマートネットワークシステムは、設備の発現を指示するユーザ指令を取得した後に開発者システムへ第１の権限与え情報を含む設備発現要求を送信すること、開発者システムが第１の権限与え情報を記憶すること及び開発者側設備リストが更新されたことを示す情報を取得した後に、スマートネットワークシステムに開発者システムへ設備発現要求を送信させることをトリガするように、第１の権限与え情報を含んでスマートネットワークシステムのインターフェースを呼び出す。【効果】ユーザが一度だけ主動的に設備発現機能をトリガすることで、開発者側設備リストが更新された後に、自動的にスマートネットワークシステムのクラウドエンドユーザデータを同期させることができ、ユーザが毎回主動的に設備発現機能をトリガする必要がない。【選択図】図２
2019091449.tif 000002
【特許請求の範囲】
【請求項１】
設備リストを同期する方法であって、
開発者システムは、スマートネットワークシステムが設備の発現を指示するユーザ指令を取得した後に前記開発者システムへ送信した要求であって、第１の権限与え情報を含む設備発現要求を受信すること、
前記開発者システムは前記第１の権限与え情報を記憶すること、
開発者側設備リストが更新されたことを示す情報を取得した後に、前記スマートネットワークシステムに前記開発者システムへ設備発現要求を送信させることをトリガするように、前記第１の権限与え情報を含んで前記スマートネットワークシステムのインターフェースを呼び出すこと、を含む
ことを特徴とする設備リストを同期する方法。
【請求項２】
設備発現要求には開発者にて予め提供された第２の権限与え情報を含み、
該方法は、
前記開発者システムは設備発現要求を受信した後に、前記第２の権限与え情報に対応する開発者側設備リストを取得して前記スマートネットワークシステムへ返信することを更に含む
ことを特徴とする請求項１に記載の設備リストを同期する方法。
【請求項３】
前記開発者システムは前記第１の権限与え情報を記憶することは、前記開発者システムは前記第１の権限与え情報と前記第２の権限与え情報との対応関係を記憶することを含み、
前記開発者側設備リストが更新されたことを示す情報を取得した後に、前記第１の権限与え情報を含んで前記スマートネットワークシステムのインターフェースを呼び出すことは、
前記第２の権限与え情報に対応する設備リストが更新されたことを示す情報を取得した後に、前記対応関係に従って、前記第１の権限与え情報を含んで前記スマートネットワークシステムのインターフェースを呼び出すことを含む
ことを特徴とする請求項２に記載の設備リストを同期する方法。
【請求項４】
前記第１の権限与え情報は、ユーザ標識情報或いは暗号化されたユーザ標識情報を含む
ことを特徴とする請求項１に記載の設備リストを同期する方法。
【請求項５】
設備リストを同期する方法であって、
スマートネットワークシステムは、設備の発現を指示するユーザ指令を取得した後に、開発者システムが第１の権限与え情報を記憶するように、開発者システムへ前記第１の権限与え情報を含む設備発現要求を送信すること、
開発者側設備リストが更新された後に前記開発者システムにて送信された前記第１の権限与え情報を含む呼び出しを受信した後に、前記開発者システムへ設備発現要求を送信すること、を含む
ことを特徴とする設備リストを同期する方法。
【請求項６】
前記スマートネットワークシステムは前記開発者システムから開発者側設備リストを受信した後に、前記開発者側設備リストを利用してシステムクラウドエンドユーザデータを更新すること、を更に含む
ことを特徴とする請求項５に記載の設備リストを同期する方法。
【請求項７】
開発者システムへ送信された設備発現要求には、開発者にて予め提供された第２の権限与え情報を含み、
前記開発者側設備リストは前記第２の権限与え情報に対応する
ことを特徴とする請求項５或いは６に記載の設備リストを同期する方法。
【請求項８】
前記システムクラウドエンドユーザデータの更新結果に従って、前記ユーザ指令を送信したユーザ設備へ更新の成功或いは失敗を示すメッセージを返信する
ことを特徴とする請求項５に記載の設備リストを同期する方法。
【請求項９】
前記第１の権限与え情報は、ユーザ標識情報或いは暗号化されたユーザ標識情報を含む
ことを特徴とする請求項５に記載の設備リストを同期する方法。
【請求項１０】
開発者システムに設けられている、設備リストを同期する装置であって、
スマートネットワークシステムが設備の発現を指示するユーザ指令を取得した後に前記開発者システムへ送信した要求であって、第１の権限与え情報を含む設備発現要求を受信する第１の受信手段と、
前記第１の権限与え情報を記憶する記憶手段と、
開発者側設備リストが更新されたことを示す情報を取得する取得手段と、
前記取得手段が開発者側設備リストが更新されたを示す情報を取得した後に、前記スマートネットワークシステムに前記開発者システムへ設備発現要求を送信させることをトリガするように、前記第１の権限与え情報を含んで前記スマートネットワークシステムのインターフェースを呼び出す呼び出し手段とを含む
ことを特徴とする設備リストを同期する装置。
【請求項１１】
設備発現要求には開発者にて予め提供された第２の権限与え情報を含み、
前記取得手段は、前記第１の受信手段が設備発現要求を受信した後に、前記第２の権限与え情報に対応する開発者側設備リストを取得するためにも用いられ、
該装置は、
前記開発者側設備リストを前記スマートネットワークシステムに返信する第１の送信手段を更に含む
ことを特徴とする請求項１０に記載の設備リストを同期する装置。
【請求項１２】
前記記憶手段は、具体的に前記第１の権限与え情報と前記第２の権限与え情報との対応関係を記憶するために用いられ、
前記呼び出し手段は、具体的に前記取得手段が前記第２の権限与え情報に対応する設備リストが更新されたことを示す情報を取得した後に、前記対応関係に従って、前記第１の権限与え情報を含んで前記スマートネットワークシステムのインターフェースを呼び出すために用いられる
ことを特徴とする請求項１０に記載の設備リストを同期する装置。
【請求項１３】
前記第１の権限与え情報は、ユーザ標識情報或いは暗号化されたユーザ標識情報を含む
ことを特徴とする請求項１０に記載の設備リストを同期する装置。
【請求項１４】
スマートネットワークシステムに設けられる、設備リストを同期する装置であって、
設備の発現を指示するユーザ指令を受信する第２の受信手段と、
開発者システムが第１の権限与え情報を記憶するように、開発者システムへ前記第１の権限与え情報を含む設備発現要求を送信する第２の送信手段と、
開発者側設備リストが更新された後に開発者システムにて送信された前記第１の権限与え情報を含む呼び出しを受信する第３の受信手段と、を含み、
前記第２の送信手段は、前記第３の受信手段が前記呼び出しを受信した後に、前記開発者システムへ設備発現要求を送信するためにも用いられる
ことを特徴とする設備リストを同期する装置。
【請求項１５】
前記第３の受信手段は、前記開発者システムから開発者側設備リストを受信するためにも用いられ、
該装置は、
前記開発者側設備リストを利用してシステムクラウドエンドユーザデータを更新する更新手段を更に含む
ことを特徴とする請求項１４に記載の設備リストを同期する装置。
【請求項１６】
前記第２の送信手段が開発者システムへ送信した設備発現要求には、開発者にて予め提供された第２の権限与え情報を含み、
前記開発者側設備リストは前記第２の権限与え情報に対応する
ことを特徴とする請求項１４或いは１５に記載の設備リストを同期する装置。
【請求項１７】
前記システムクラウドエンドユーザデータの更新結果に従って、前記ユーザ指令を送信したユーザ設備へ更新の成功或いは失敗を示すメッセージを返信する第４の送信手段を更に含む
ことを特徴とする請求項１４に記載の設備リストを同期する装置。
【請求項１８】
前記第１の権限与え情報は、ユーザ標識情報或いは暗号化されたユーザ標識情報を含む
ことを特徴とする請求項１４に記載の設備リストを同期する装置。
【請求項１９】
設備であって、
１つ或いは複数のプロセッサと、
１つ或いは複数のプログラムを記憶する記憶装置と、を含み、
前記１つ又は複数のプログラムが前記１つ又は複数のプロセッサによって実行される時に、前記１つ又は複数のプロセッサに請求項１乃至９中のいずれか１項に記載の方法を実現させる
ことを特徴とする設備。
【請求項２０】
コンピュータが実行可能な指令が記憶されている記憶媒体であって、
前記コンピュータが実行可能な指令がコンピュータプロセッサによって実行される時に、請求項１乃至９中のいずれか１項に記載の方法を実現する
ことを特徴とする記憶媒体。
【発明の詳細な説明】
【技術分野】
【０００１】
本発明は、コンピュータ応用技術分野に係り、特に設備リストを同期する方法、装置、設備及びコンピュータ記憶媒体に係る。
【背景技術】
【０００２】
人工知能の発展とモノのインターネット時代の登場に従って、伝統的なハードウェア設備がスマート方向へ転換されている。家庭シーンでは、ユーザと設備とのインタラクション方式も革命的な変化があり、タッチ設備の物理ボタンから、応用ジェスチャーによって操作し、更に当前音声指令によって要求を発しするまで、スマート住居設備に対する制御を実現している。
【０００３】
典型的な応用シーンとして、新たなユーザ設備がスマート住居ネットワークに投入されると、ユーザは開発者側の設備リストをスマート住居システムに同期させたければ、毎回、ユーザが主動的に「設備を発見する」という機能をトリガして開発者（本発明の実施例において「開発者」とは、スマート住居ネットワークに新たに投入されたユーザ設備の開発者）側から新たな設備リストを取得する必要が有り、自動的に設備リストを更新することを実現できない。
【発明の概要】
【発明が解決しようとする課題】
【０００４】
上記実情を考慮して、本発明は、開発者側設備リストをスマートネットワークシステムに自動的に同期させる設備リストを同期する方法、装置、設備及びコンピュータ記憶媒体を提供する。
【０００５】
具体的な技術案は、以下のようである。
【０００６】
本発明に関する設備リストを同期する方法は、
設備リストを同期する方法であって、
開発者システムは、スマートネットワークシステムが設備の発現を指示するユーザ指令を取得した後に前記開発者システムへ送信した要求であって、第１の権限与え情報を含む設備発現要求を受信すること、
前記開発者システムは前記第１の権限与え情報を記憶すること、
開発者側設備リストが更新されたことを示す情報を取得した後に、前記スマートネットワークシステムに前記開発者システムへ設備発現要求を送信させることをトリガするように、前記第１の権限与え情報を含んで前記スマートネットワークシステムのインターフェースを呼び出すこと、を含む。
【０００７】
本発明の１つの具体的な実施の形態によると、
設備発現要求には開発者にて予め提供された第２の権限与え情報を含み、
該方法は、
前記開発者システムは設備発現要求を受信した後に、前記第２の権限与え情報に対応する開発者側設備リストを取得して前記スマートネットワークシステムへ返信することを更に含む。
【０００８】
本発明の１つの具体的な実施の形態によると、
前記開発者システムは前記第１の権限与え情報を記憶することは、前記開発者システムは前記第１の権限与え情報と前記第２の権限与え情報との対応関係を記憶することを含み、
前記開発者側設備リストが更新されたことを示す情報を取得した後に、前記第１の権限与え情報を含んで前記スマートネットワークシステムのインターフェースを呼び出すことは、
前記第２の権限与え情報に対応する設備リストが更新されたことを示す情報を取得した後に、前記対応関係に従って、前記第１の権限与え情報を含んで前記スマートネットワークシステムのインターフェースを呼び出すことを含む。
【０００９】
本発明の１つの具体的な実施の形態によると、
前記第１の権限与え情報は、ユーザ標識情報或いは暗号化されたユーザ標識情報を含む。
本発明に関する設備リストを同期する方法は、
スマートネットワークシステムは、設備の発現を指示するユーザ指令を取得した後に、開発者システムが第１の権限与え情報を記憶するように、開発者システムへ前記第１の権限与え情報を含む設備発現要求を送信すること、
開発者側設備リストが更新された後に前記開発者システムにて送信された前記第１の権限与え情報を含む呼び出しを受信した後に、前記開発者システムへ設備発現要求を送信すること、を含む。
【００１０】
本発明の１つの具体的な実施の形態によると、
前記スマートネットワークシステムは前記開発者システムから開発者側設備リストを受信した後に、前記開発者側設備リストを利用してシステムクラウドエンドユーザデータを更新すること、を更に含む。
【００１１】
本発明の１つの具体的な実施の形態によると、
開発者システムへ送信された設備発現要求には、開発者にて予め提供された第２の権限与え情報を含み、
前記開発者側設備リストは前記第２の権限与え情報に対応する。
【００１２】
本発明の１つの具体的な実施の形態によると、
前記システムクラウドエンドユーザデータの更新結果に従って、前記ユーザ指令を送信したユーザ設備へ更新の成功或いは失敗を示すメッセージを返信する。
【００１３】
本発明の１つの具体的な実施の形態によると、
前記第１の権限与え情報は、ユーザ標識情報或いは暗号化されたユーザ標識情報を含む。
本発明に関する開発者システムに設けられる、設備リストを同期する装置は、
スマートネットワークシステムが設備の発現を指示するユーザ指令を取得した後に前記開発者システムへ送信した要求であって、第１の権限与え情報を含む設備発現要求を受信する第１の受信手段と、
前記第１の権限与え情報を記憶する記憶手段と、
開発者側設備リストが更新されたことを示す情報を取得する取得手段と、
前記取得手段が開発者側設備リストが更新されたを示す情報を取得した後に、前記スマートネットワークシステムに前記開発者システムへ設備発現要求を送信させることをトリガするように、前記第１の権限与え情報を含んで前記スマートネットワークシステムのインターフェースを呼び出す呼び出し手段とを含む。
【００１４】
本発明の１つの具体的な実施の形態によると、
設備発現要求において開発者が予め提供した第２の権限与え情報を含み、
設備発現要求には開発者にて予め提供された第２の権限与え情報を含み、
前記取得手段は、前記第１の受信手段が設備発現要求を受信した後に、前記第２の権限与え情報に対応する開発者側設備リストを取得するためにも用いられ、
該装置は、
前記開発者側設備リストを前記スマートネットワークシステムに返信する第１の送信手段を更に含む。
【００１５】
本発明の１つの具体的な実施の形態によると、
前記記憶手段は、具体的に前記第１の権限与え情報と前記第２の権限与え情報との対応関係を記憶するために用いられ、
前記呼び出し手段は、具体的に前記取得手段が前記第２の権限与え情報に対応する設備リストが更新されたことを示す情報を取得した後に、前記対応関係に従って、前記第１の権限与え情報を含んで前記スマートネットワークシステムのインターフェースを呼び出すために用いられる。
【００１６】
本発明の１つの具体的な実施の形態によると、
前記第１の権限与え情報は、ユーザ標識情報或いは暗号化されたユーザ標識情報を含む。
本発明に関するスマートネットワークシステムに設けられる、設備リストを同期する装置は、
設備の発現を指示するユーザ指令を受信する第２の受信手段と、
開発者システムが第１の権限与え情報を記憶するように、開発者システムへ前記第１の権限与え情報を含む設備発現要求を送信する第２の送信手段と、
開発者側設備リストが更新された後に開発者システムにて送信された前記第１の権限与え情報を含む呼び出しを受信する第３の受信手段と、を含み、
前記第２の送信手段は、前記第３の受信手段が前記呼び出しを受信した後に、前記開発者システムへ設備発現要求を送信するためにも用いられる。
【００１７】
本発明の１つの具体的な実施の形態によると、
前記第３の受信手段は、前記開発者システムから開発者側設備リストを受信するためにも用いられ、
該装置は、
前記開発者側設備リストを利用してシステムクラウドエンドユーザデータを更新する更新手段を更に含む。
【００１８】
本発明の１つの具体的な実施の形態によると、
前記第２の送信手段が開発者システムへ送信した設備発現要求には、開発者にて予め提供された第２の権限与え情報を含み、
前記開発者側設備リストは前記第２の権限与え情報に対応する。
【００１９】
本発明の１つの具体的な実施の形態によると、
該装置は、
前記システムクラウドエンドユーザデータの更新結果に従って、前記ユーザ指令を送信したユーザ設備へ更新の成功或いは失敗を示すメッセージを返信する第４の送信手段を更に含む。
【００２０】
本発明の１つの具体的な実施の形態によると、
前記第１の権限与え情報は、ユーザ標識情報或いは暗号化されたユーザ標識情報を含む。
本発明に関する設備は、
１つ或いは複数のプロセッサと、
１つ或いは複数のプログラムを記憶する記憶装置と、を含み、
前記１つ又は複数のプログラムが前記１つ又は複数のプロセッサによって実行される時に、前記１つ又は複数のプロセッサに上記方法を実現させる。
【００２１】
本発明に関するコンピュータが実行可能な指令が記憶されている記憶媒体であって、前記コンピュータが実行可能な指令がコンピュータプロセッサによって実行される時に、上記方法を実現する。
【００２２】
以上の技術案から分かるように、本発明に係った形態によって、ユーザが一度だけ主動的に設備発現機能をトリガすることで、後述の開発者側設備リストが更新された後に、自動的にスマートネットワークシステムのクラウドエンドユーザデータを同期させることができ、ユーザが毎回主動的に設備発現機能をトリガする必要がない。
【図面の簡単な説明】
【００２３】
【図１】本発明の実施例に係るシステム構成模式図である。
【図２】本発明の実施例に係る方法フローチャートである。
【図３】本発明の実施例に係る開発者ＢＯＴに設けられる構成模式図である。
【図４】本発明の実施例に係るスマートネットワークシステムに設けられる装置構成図である。
【図５】本発明の実施形態を実現することに適する、例示的なコンピュータシステム／サーバの図面を示す。
【発明を実施するための形態】
【００２４】
本公開の目的、技術案及び利点をより明確で簡潔させるために、以下、図面を参照して実施例を挙げて、本発明に係る技術案を更に説明する。
【００２５】
本公開の実施例で使用された用語はただ特定な実施例を記述するためのもので、本発明を制限するためのものではない。本公開の実施例及び特許請求の範囲で使用された単数形式の「一種類」、「前記」及び「当該」は、文脈で明らかに単数だけを意味しない限り、複数の形式を含む。
【００２６】
理解されるべきことは、本文で使用された用語「と／または」は、ただ関連対象の関連関係を表示するもので、３種類の関係が存在可能であり、例えば、「Ａと／またはＢ」という表現では、ただＡだけ存在する場合と、Ａ及びＢが同時に存在する場合と、ただＢだけ存在する場合との３種類の関係が存在可能である。また、本文での符号「／」が、一般的に前後関連対象が「または」との関係であることを示す。
【００２７】
文脈によって、ここで使用された単語「…と（れば）」は、「…時」、「…と」、「確定したことに応じて」または「検出したことに応じて」との意味に解釈できる。これと類似に、文脈によって、フレーズ「…を確定すると」又は「（記述する条件又は事件）を検出すると」は、「…確定する時」、「確定したことに応じて」、「（記述する条件又は事件）を検出した時」又は「（記述する条件又は事件）を検出したことに応じて」に解釈できる。
【００２８】
本発明のコア思想は、ユーザが主動的に設備発現機能をトリガした時に、スマートネットワークシステムにて送信された設備発現要求に権限与え情報が含ませて、開発者側設備リストが更新され後に、該権限与え情報を利用してスマートネットワークシステムに設備発現要求を送信させることをトリガすることができ、ユーザが再びに主動的にトリガする必要がなく、設備リストの自動同期を実現できることにある。
【００２９】
本発明の実施例を理解するために、まず本発明に係るシステム構成を簡単に説明する。図１は、本発明の実施例に係るシステム構成模式図であり、図１に示すように、該システムは、ユーザ設備、スマートネットワークシステム、システム側データベース、開発者ＢＯＴ及び開発者側データベースを主に含む。
【００３０】
ただし、ユーザ設備とは、スマートネットワークシステムに加入されたユーザ設備であり、少なくともユーザとインタラクションを行い、ユーザ指令をスマートネットワークシステムに送信することができるスマートユーザ設備である。例えば、後述の実施例において、スマートサウンドボックス、携帯電話、スマートテレビ等の設備中の1つをマスタ設備と呼ぶ。
【００３１】
スマートネットワークシステムとは、ユーザ設備をスマートネットワークに加入するためのクラウドエンドシステムであり、ユーザ設備とインタラクションを行い、ユーザ設備に対して管理と制御を行うことができる。
【００３２】
システムエンドデータベースは、スマートネットワークシステムエンドのデータベースであり、ただし、少なくともスマートネットワークのユーザデータを含む。
開発者ＢＯＴとは開発者システムであり、開発者側応用サーバに設けられ、本発明に係る機能主体は、応用サーバにおけるアプリケーションプログラム或いはアプリケーションプログラムにおけるプラグインと記載することができ、開発者側とスマートネットワークシステムとのドッキングを完成する。本発明の実施例に謂う「開発者」は、スマートネットワークにおけるユーザ設備の開発者である。
【００３３】
開発者側データベースには少なくとも開発者側の設備リストを含む。新たなユーザ設備がスマートネットワークへ加入すると、加入過程において、ユーザ設備のスマートネットワークへの加入を実現できるために、開発者の権限与え情報（本発明の後述の実施例において第２の権限与え情報と呼ぶ）を配置し、且つ一定のプロトコルに従わなければならないので、開発者側設備リストがリアルタイムに更新され、即ち、新たなユーザ設備がスマートネットワークへ加入すると、該ユーザ設備の情報を該ユーザ設備に対応する開発者側設備リストは即時に加える。本発明が解決しようとする問題点は、どのように開発者側設備リストが更新された後に、自動的にそれをスマートネットワークシステム側に同期させることである。
【００３４】
図２は、本発明の実施例に係る方法フローチャートであり、該フローチャートにおいて、ユーザの主動発現段階及び設備リスト更新段階との2つの段階を主に含む。図２に示すように、ユーザの主動発現段階は、以下のステップを含むことができる。
【００３５】
２０１において、マスタ設備は、設備の発現を指示するユーザ指令をスマートネットワークシステムに送信する。
【００３６】
注意すべきことは、ユーザが初めて主動的に設備の発現フローをトリガする際に該ユーザの主動発現段階のフローを実行してもよく、ユーザが毎回に主動的に設備の発現フローをトリガする時にいずれも該ユーザの主動発現段階のフローを実行してもよい。本発明は、これを制限しない。
【００３７】
本ステップにおいて、ユーザはマスタ設備へユーザ指令を送信でき、該ユーザ指令が音声指令であり、例えばユーザはスマートサウンドボックスへ「設備を発見する」との音声指令を送信する。該ユーザ指令は、ジェスチャー操作指令、例えばユーザが携帯電話の特定インターフェースで特定のジェスチャーを入力することで、発現設備の指令をトリガするものであってもよい。該ユーザ指令は、物理キーでトリガする指令、例えばユーザがスマートテレビのリモコンにおける物理ボタンを押すことで自動発現指令をトリガするものであってもよい。勿論、他の指令送信形式を採用してもよく、ここでは網羅しない。
【００３８】
２０２において、スマートネットワークシステムは、開発者ＢＯＴへ第１の権限与え情報と第２の権限与え情報とを含む設備発現要求（Ｄｉｓｃｏｖｅｒ  Ａｐｐｌｉｃａｎｃｅｓ  Ｒｅｑｕｅｓｔ）を送信する。
【００３９】
スマートネットワークシステムはマスタ設備からのユーザ指令を受信した後に、該スマートネットワークシステムに対して権限与えた開発者に対応する開発者ＢＯＴへ、第１の権限与え情報と第２の権限与え情報とを含む設備発現要求を送信する。
【００４０】
本発明の実施例において、各ユーザ設備の開発者は、予めスマートネットワークシステムに対して権限与えを行うことができ、従って、スマートネットワークシステムとドッキングを行うことができ、開発されたユーザ設備をスマートネットワークに加入させることができる。ただし、開発者は、予めスマートネットワークシステムへ第２の権限与え情報を提供することができる。スマートネットワークシステムはマスタ設備からのユーザ指令を受信した後に、各開発者ＢＯＴへ、対応する開発者にて提供された第２の権限与え情報を含む自動発現要求をそれぞれに送信することができる。
【００４１】
ただし、第２の権限与え情報は、開発者標識、Ｔｏｋｅｎ、特定のパスワード等の情報であることができる。本発明は、第２の権限与え情報の形式を制限しなく、具体的な形式は、開発者がスマートネットワークシステムと予め約定できる。
【００４２】
第１の権限与え情報は、スマートネットワークシステムにて開発者ＢＯＴへ提供されるものであり、開発者ＢＯＴに対して権限を与えることに用いられる。該第１の権限与え情報は、複数の種類の形式を採用してもよく、本発明の実施例において、ユーザ標識或いは暗号化されたユーザ標識を第１の権限与え情報とすることが好ましい。例えばユーザがスマートネットワークシステムへ登録した後にユーザ標識を取得し、その後、ユーザは該ユーザ標識を利用して各ユーザ設備をスマートネットワークへ加入することができる。従って、該ユーザ標識は、該ユーザのスマートネットワークへ加入したユーザ設備を標識することができ、１つのシステムアカウントと理解できる。
【００４３】
２０３において、開発者ＢＯＴは、第１の権限与え情報と第２の権限与え情報との対応関係を記憶する。
【００４４】
開発者ＢＯＴは、設備発現要求を受信した後に、解析して第１の権限与え情報と第２の権限与え情報とを取得し、ただし、第２の権限与え情報が開発者にて提供された権限与え情報であり、第１の権限与え情報がスマートネットワークシステムにて提供された権限与え情報であり、従って、開発者ＢＯＴは、2種類の権限与え情報を対応付けて記憶し、スマートネットワークシステムの権限与えを取得すると同時に、2つの体系の「アカウント」を連係することができる。
【００４５】
２０４において、開発者ＢＯＴは、開発者側データベースから第２の権限与え情報に対応する設備リスト、即ち開発者側設備リストを取得する。
【００４６】
第２の権限与え情報は開発者側によって提供されたものであるので、ユーザ設備がスマートネットワークに加入する時に、ユーザ設備のスマートネットワークへの加入を実現できるために、開発者の第２の権限与え情報を設定し、且つ一定のプロトコルに従わなければならない。従って、新たなユーザ設備がスマートネットワークへ加入すると、該ユーザ設備の情報を該ユーザ設備に対応する開発者側設備リストは即時に加え、第２の権限与え情報標識を採用する。開発者ＢＯＴは、第２の権限与え情報を利用して開発者側データベースから対応する設備リストを取得することができる。
【００４７】
２０５において、開発者ＢＯＴは、開発者側設備リストをスマートネットワークシステムに返信する。
【００４８】
開発者ＢＯＴは、第２の権限与え情報に対応する設備リストを取得した後に、設備発現応答（Ｄｉｓｃｏｖｅｒ  Ａｐｐｌｉｃａｎｃｅｓ  Ｒｅｓｐｏｎｓ）に含んでスマートネットワークシステムに返信することができる。
【００４９】
２０６において、スマートネットワークシステムは、開発者側設備リストをシステム側データベースにおけるクラウドエンドユーザデータに保存する。
【００５０】
本段階でユーザが初めて主動的に発現設備機能をトリガすると、スマートネットワークシステムは、開発者側設備リストをシステム側データベースにおけるユーザデータに保存する。初めてでなければ、開発者側設備リストを利用してシステムデータベースにおけるユーザデータを更新することができる。
【００５１】
２０７において、スマートネットワークシステムは、マスタ設備へ発現の成功或いは失敗を示すメッセージを返信する。
【００５２】
ステップ２０７までのステップの実行がいずれも成功したら、マスタ設備へ発現の成功を示すメッセージを返信する。ステップ２０７までのいずれかのステップの実行が失敗したら、発現フローはスムーズに行うことができなく、スマートネットワークシステムへ発現の失敗を示すメッセージを返信する。
【００５３】
後続、新たな設備がスマートネットワークへ加入すると、開発者側設備リストが更新されば、以下の設備リスト更新段階を実行する。
【００５４】
２１１において、開発者ＢＯＴは、開発者設備リストが更新された示す情報を取得する。
【００５５】
開発者側データベースの設備リストが更新された後に、開発者ＢＯＴへ更新の通知を送信し、該通知に該設備リストに対応する第２の権限与え情報を含む。
【００５６】
２１２において、開発者ＢＯＴは、第１の権限与え情報と第２の権限与え情報との対応関係に従って、第１の権限与え情報を含んでスマートネットワークシステムのインターフェースを呼び出す。
【００５７】
スマートネットワークシステムは、開発者にて呼び出されるために、開発者に対して１つのインターフェースを提供する。開発者ＢＯＴがスマートネットワークシステムのインターフェースを呼び出す時に、第１の権限与え情報を含む。本発明の実施例において、該第１の権限与え情報として、ユーザ標識或いは暗号化されたユーザ標識を採用しており、スマートネットワークシステムの権限与えを取得したことを指示する役割を有し、更新された設備リストに対応するユーザを標識する役割も有する。
【００５８】
２１３において、スマートネットワークシステムがトリガされ、開発者ＢＯＴへ設備発現要求を送信し、該設備発現要求において第２の権限与え情報を含む。
【００５９】
スマートネットワークシステムのインターフェースが呼び出された後に、該呼び出しに含まれたパラメータが第１の権限与え情報であるので、スマートネットワークシステムは、権限与えを受けた開発者ＢＯＴであると確認できるので、トリガされて開発者ＢＯＴへ設備発現要求を送信する。
【００６０】
２１４において、開発者ＢＯＴは、開発者側データベースから第２の権限与え情報に対応する開発者側設備リストを取得する。
【００６１】
２１５において、開発者ＢＯＴは、開発者側設備リストをスマートネットワークシステムに返信する。
【００６２】
開発者ＢＯＴは、第２の権限与え情報に対応する設備リストを取得した後に、設備発現応答（Ｄｉｓｃｏｖｅｒ  Ａｐｐｌｉｃａｎｃｅｓ  Ｒｅｓｐｏｎｓ）に含んでスマートネットワークシステムに返信することができる。
【００６３】
２１６において、スマートネットワークシステムは、開発者側設備リストを利用してシステム側データベースにおけるクラウドエンドユーザデータを更新する。
【００６４】
ここまで、設備リストの自動更新フローの実行が完成し、ユーザの体験を豊かにするために、ステップ２１６の後に、スマートネットワークシステムは、スマートネットワークにおけるマスタ設備へ更新の成功或いは失敗を示すメッセージを送信することもできる。
【００６５】
以上が本発明に係る方法に関する説明であり、以下、実施例を参照して本発明に係る装置の詳細を説明する。
【００６６】
図３は、本発明の実施例に係る開発者ＢＯＴに設けられる構成模式図であり、該装置は、アプリケーションプログラム、アプリケーションプログラムにおけるプラグイン或いはソフトウェア開発キット（Ｓｏｆｔｗａｒｅ  Ｄｅｖｅｌｏｐｍｅｎｔ  Ｋｉｔ，ＳＤＫ）等の機能手段として表現できる。図３に示すように、該装置は、第１の受信手段０１、記憶手段０２、取得手段０３及び呼び出し手段０４を含み、第１の送信手段０５を更に含んでも良い。ただし、各構成手段の主な機能は、以下のようである。
【００６７】
第１の受信手段０１は、第１の権限与え情報を含む設備発現要求を受信し、該設備発現要求は、スマートネットワークシステムが設備の発現を指示するユーザ指令を取得した後に開発者ＢＯＴへ送信するものである。
【００６８】
記憶手段０２は、第１の権限与え情報を記憶する。
第１の権限与え情報は、スマートネットワークシステムにて開発者ＢＯＴへ提供されるものであり、開発者ＢＯＴに対して権限与えを行うものである。該第１の権限与え情報は、複数の種類の形式を採用してもよく、本発明の実施例において、ユーザ標識或いは暗号化されたユーザ標識を第１の権限与え情報とすることが好ましい。例えばユーザがスマートネットワークシステムへ登録した後にユーザ標識を取得し、その後、ユーザは該ユーザ標識を利用して各ユーザ設備をスマートネットワークへ加入することができる。従って、該ユーザ標識は、該ユーザのスマートネットワークへ加入したユーザ設備を標識することができ、１つのシステムアカウントと理解できる。
【００６９】
取得手段０３は、開発者側設備リストが更新されたことを示す情報を取得する。取得手段０３が開発者側設備リストが更新されたことを示す情報を取得した後に、呼び出し手段０４は、スマートネットワークシステムをトリガして開発者ＢＯＴへ設備発現要求を送信するように、第１の権限与え情報を含んでスマートネットワークシステムのインターフェースを呼び出す。
【００７０】
そのうちに、上記設備発現要求には開発者にて予め提供された第２の権限与え情報を含む。本発明の実施例において、各ユーザ設備の開発者は、予めスマートネットワークシステムに対して権限与えを行うことができ、従って、スマートネットワークシステムとドッキングを行うことができ、開発されたユーザ設備をスマートネットワークに加入することができる。ただし、開発者は、予めスマートネットワークシステムへ第２の権限与え情報を提供することができる。スマートネットワークシステムがマスタ設備からのユーザ指令を受信した後に、各開発者ＢＯＴへ、対応する開発者にて提供された第２の権限与え情報を含む自動発現要求をそれぞれに送信することができる。
【００７１】
ただし、第２の権限与え情報は、開発者標識、Ｔｏｋｅｎ、特定のパスワード等の情報であることができる。本発明は、第２の権限与え情報の形式を制限しなく、具体的な形式は、開発者がスマートネットワークシステムと予め約定できる。
【００７２】
第１の受信手段０１が設備発現要求を受信した後に、取得手段０３は、第２の権限与え情報に対応する開発者側設備リストを取得し、具体的に開発者側データベースから開発者側設備リストをルックアップして取得する。
【００７３】
第１の送信手段０５は、取得手段０３にて取得された開発者側設備リストをスマートネットワークシステムに返信する。
【００７４】
また、第１の受信手段０１が第１の権限与え情報と第２の権限与え情報を含む設備発現要求を受信した後に、上記記憶手段０２にて記憶されたものが、第１の権限与え情報と第２の権限与え情報との対応関係である。第２の権限与え情報が開発者にて提供された権限与え情報であり、第１の権限与え情報がスマートネットワークシステムにて提供された権限与え情報であり、従って、開発者ＢＯＴは、2種類の権限与え情報を対応付けて記憶し、スマートネットワークシステムの権限与えを取得すると同時に、2つの体系の「アカウント」を連係することができる。
【００７５】
取得手段０３が第２の権限与え情報に対応する設備リストが更新されたことを示す情報を取得した後に、呼び出し手段０４は、対応関係に従って、第１の権限与え情報を含んでスマートネットワークシステムのインターフェースを呼び出す。
【００７６】
開発者側データベースの設備リストが更新された後に、開発者ＢＯＴへ更新の通知を送信し、該通知には該設備リストに対応する第２の権限与え情報を含むことができる。スマートネットワークシステムは、開発者にて呼び出されるために、開発者に対して１つのインターフェースを提供する。呼び出し手段０４がスマートネットワークシステムのインターフェースを呼び出す時に、第１の権限与え情報を含む。本発明の実施例において、該第１の権限与え情報として、ユーザ標識或いは暗号化されたユーザ標識を採用しており、スマートネットワークシステムの権限与えを取得したことを指示する役割を有し、更新された設備リストに対応するユーザを標識する役割も有する。
【００７７】
図４は、本発明の実施例に係るスマートネットワークシステムに設けられる装置構成図であり、該装置は、アプリケーションプログラム、アプリケーションプログラムにおけるプラグイン或いはソフトウェア開発キット（Ｓｏｆｔｗａｒｅ  Ｄｅｖｅｌｏｐｍｅｎｔ  Ｋｉｔ，ＳＤＫ）等の機能手段として表現できる。図４に示すように、該装置は、第２の受信手段１１、第２の送信手段１２、第３の受信手段１３を含み、更に更新手段１４と第４の送信手段１５を含んでも良い。但し、各構成手段の主な機能は、以下のようである。
【００７８】
第２の受信手段１１は、設備の発現を指示するユーザ指令を受信する。注意すべきことは、ユーザが初めて主動的に設備の発現フローをトリガする際に第２の受信手段１１が設備の発現を指示するユーザ指令を受信してもよく、ユーザが毎回に主動的に設備の発現フローをトリガする時にいずれも実行してもよい。本発明は、これを制限しない。
【００７９】
上記のユーザ指令が音声指令であり、例えばユーザがスマートサウンドボックスへ「設備を発見する」との音声指令を送信する。該ユーザ指令は、ジェスチャー操作指令、例えばユーザが携帯電話の特定インターフェースで特定のジェスチャーを入力することで、発現設備の指令をトリガするものであってもよい。該ユーザ指令は、物理キーでトリガする指令、例えばユーザがスマートテレビのリモコンにおける物理ボタンを押すことで自動発現指令をトリガするものであってもよい。勿論、他の指令送信形式を採用してもよく、ここでは網羅しない。
【００８０】
第２の送信手段１２は、開発者ＢＯＴへ第１の権限与え情報を含む設備発現要求を送信し、開発者ＢＯＴが第１の権限与え情報を記憶する。
【００８１】
第１の権限与え情報は、スマートネットワークシステムにて開発者ＢＯＴへ提供されるものであり、開発者ＢＯＴに対して権限を与えることに用いられる。該第１の権限与え情報は、複数の種類の形式を採用してもよく、本発明の実施例において、ユーザ標識或いは暗号化されたユーザ標識を第１の権限与え情報とすることが好ましい。例えばユーザがスマートネットワークシステムへ登録した後にユーザ標識を取得し、その後、ユーザは該ユーザ標識を利用して各ユーザ設備をスマートネットワークへ加入することができる。従って、該ユーザ標識は、該ユーザのスマートネットワークへ加入したユーザ設備を標識することができ、１つのシステムアカウントと理解できる。
【００８２】
また、第２の送信手段１２が開発者ＢＯＴへ送信した設備発現要求には、開発者にて予め提供された第２の権限与え情報を含む。本発明の実施例において、各ユーザ設備の開発者は、予めスマートネットワークシステムに対して権限与えを行うことができ、従って、スマートネットワークシステムとドッキングを行うことができ、開発されたユーザ設備をスマートネットワークに加入することができる。そのうちに、開発者は、予めスマートネットワークシステムへ第２の権限与え情報を提供することができる。スマートネットワークシステムがマスタ設備からのユーザ指令を受信した後に、各開発者ＢＯＴへ、対応する開発者にて提供された第２の権限与え情報を含む自動発現要求をそれぞれに送信することができる。
【００８３】
ただし、第２の権限与え情報は、開発者標識、Ｔｏｋｅｎ、特定のパスワード等の情報であることができる。本発明は、第２の権限与え情報の形式を制限しなく、具体的な形式は、開発者がスマートネットワークシステムと予め約定できる。
【００８４】
第３の受信手段１３は、開発者側設備リストが更新された後に開発者ＢＯＴにて送信された第１の権限与え情報を含む呼び出しを受信する。
【００８５】
スマートネットワークシステムは、開発者にて呼び出されるために、開発者に対して１つのインターフェースを提供する。開発者ＢＯＴがスマートネットワークシステムのインターフェースを呼び出す時に、第１の権限与え情報を含む。本発明の実施例において、該第１の権限与え情報として、ユーザ標識或いは暗号化されたユーザ標識を採用しており、スマートネットワークシステムの権限与えを取得したことを指示する役割を有し、更新された設備リストに対応するユーザを標識する役割も有する。
【００８６】
第２の送信手段１２は、第３の受信手段１３が呼び出しを受信した後に、開発者ＢＯＴへ設備発現要求を送信し、ただし、該設備発現要求には第２の権限与え情報を含む。
【００８７】
第３の受信手段１３は、開発者ＢＯＴから開発者側設備リストを受信し、具体的に、開発者ＢＯＴにて送信された設備発現応答から該開発者側設備リストを取得することができる。
【００８８】
更新手段１４は、開発者側設備リストを利用してシステムクラウドエンドユーザデータを更新する。
【００８９】
第４の送信手段１５は、システムクラウドエンドユーザデータの更新結果に従って、ユーザ指令を送信したユーザ設備（即ちマスタ設備）へ更新の成功或いは失敗を示すメッセージを返信する。
【００９０】
図５は、本発明の実施形態を実現することに適する、例示的なコンピュータシステム／サーバ０１２の図面を示す。図５に示すコンピュータシステム／サーバ０１２は、１つの例だけであり、本発明の実施例の機能と使用範囲を制限していない。
【００９１】
図５に示すように、コンピュータシステム／サーバ０１２は、汎用演算設備の形態で表現される。コンピュータシステム／サーバ０１２の構成要素には、１つ又は複数のプロセッサ０１６と、システムメモリ０２８と、異なるシステム構成要素（システムメモリ０２８とプロセッサ０１６とを含む）を接続するためのバス０１８を含んでいるが、これに限定されない。
【００９２】
バス０１８は、複数種類のバス構成の中の１つ又は複数の種類を示し、メモリバス又はメモリコントローラ、周辺バス、グラフィック加速ポート、プロセッサ又は複数種類のバス構成でのいずれかのバス構成を使用したローカルバスを含む。例えば、それらの架構には、工業標準架構（ＩＳＡ）バス、マイクロチャンネル架構（ＭＡＣ）バス、増強型ＩＳＡバス、ビデオ電子規格協会（ＶＥＳＡ）ローカルバス及び周辺コンポーネント接続（ＰＣＩ）バスを含んでいるが、これに限定されない。
【００９３】
コンピュータシステム／サーバ０１２には、典型的には複数の種類のコンピュータシステム読取り可能な媒体を含む。それらの媒体は、コンピュータシステム／サーバ０１２にアクセスされて使用可能な任意な媒体であり、揮発性の媒体と不揮発性の媒体や移動可能な媒体と移動不可な媒体を含む。
【００９４】
メモリ０２８には、揮発性メモリ形態のコンピュータシステム読取り可能な媒体、例えばランダムアクセスメモリ（ＲＡＭ）０３０及び／又はキャッシュメモリ０３２を含むことができる。コンピュータシステム／サーバ０１２には、更に他の移動可能／移動不可なコンピュータシステム記憶媒体や揮発性／不揮発性のコンピュータシステム記憶媒体を含むことができる。例として、ストレジ０３４は、移動不可能な不揮発性磁媒体を読み書くために用いられる（図５に示していないが、常に「ハードディスクドライブ」とも呼ばれる）。図５に示していないが、移動可能な不揮発性磁気ディスク（例えば「フレキシブルディスク」）に対して読み書きを行うための磁気ディスクドライブ、及び移動可能な不揮発性光ディスク（例えばＣＤ−ＲＯＭ、ＤＶＤ−ＲＯＭ又は他の光媒体）に対して読み書きを行うための光ディスクドライブを提供できる。このような場合に、ドライブは、それぞれ１つ又は複数のデータ媒体インターフェースによってバス０１８に接続される。メモリ０２８には少なくとも１つのプログラム製品を含み、該プログラム製品には１組の（例えば少なくとも１つの）プログラムモジュールを含み、それらのプログラムモジュールは、本発明の各実施例の機能を実行するように配置される。
【００９５】
１組の（少なくとも１つの）プログラムモジュール０４２を含むプログラム／実用ツール０４０は、例えばメモリ０２８に記憶され、このようなプログラムモジュール０４２には、オペレーティングシステム、１つの又は複数のアプリケーションプログラム、他のプログラムモジュール及びプログラムデータを含んでいるが、これに限定しておらず、それらの例示での１つ又はある組み合にはネットワーク環境の実現を含む可能性がある。プログラムモジュール０４２は、常に本発明に記載されている実施例における機能及び／又は方法を実行する。
【００９６】
コンピュータシステム／サーバ０１２は、１つ又は複数の周辺設備０１４（例えばキーボード、ポインティングデバイス、ディスプレイ０２４等）と通信を行ってもよく、本発明において、コンピュータシステム／サーバ０１２は外部レーダ設備と通信を行い、１つ又は複数のユーザと該コンピュータシステム／サーバ０１２とのインタラクションを実現することができる設備と通信を行ってもよく、及び／又は該コンピュータシステム／サーバ０１２と１つ又は複数の他の演算設備との通信を実現することができるいずれかの設備（例えばネットワークカード、モデム等）と通信を行っても良い。このような通信は入力／出力（Ｉ／Ｏ）インターフェース０２２によって行うことができる。そして、コンピュータシステム／サーバ０１２は、ネットワークアダプタ０２０によって、１つ又は複数のネットワーク（例えばローカルエリアネットワーク（ＬＡＮ）、広域ネットワーク（ＷＡＮ）及び／又は公衆回線網、例えばインターネット）と通信を行っても良い。図に示すように、ネットワークアダプタ０２０は、バス０１８によって、コンピュータシステム／サーバ０１２の他のモジュールと通信を行う。当然のことながら、図５に示していないが、コンピュータシステム／サーバ０１２と連携して他のハードウェア及び／又はソフトウェアモジュールを使用することができ、マイクロコード、設備ドライブ、冗長処理手段、外部磁気ディスクドライブアレイ、ＲＡＩＤシステム、磁気テープドライブ及びデータバックアップストレジ等を含むが、これに限定されない。
【００９７】
プロセッサ０１６は、メモリ０２８に記憶されているプログラムを実行することで、様々な機能応用及びデータ処理を実行し、例えば本発明の実施例における方法フローを実現する。
【００９８】
上記のコンピュータプログラムは、コンピュータ記憶媒体に設けることができ、即ち該コンピュータ記憶媒体にコンピュータプログラムが記憶されており、該プログラムが１つ又は複数のコンピュータに実行される時に、１つ又は複数のコンピュータに本発明の上記の実施例に記載されている方法フロー及び／又は装置操作を実行させる。例えば、上記１つ或いは複数のプロセッサによって本発明の実施例における方法フローを実行する。
【００９９】
時間及び技術の発達に伴い、メディアの意味もますます広がり、コンピュータプログラムの伝送方式も、具体的なメディアに限らず、ネットワーク等から直接ダウンロードすることもできる。１つ又は複数のコンピュータ読み取り可能な媒体の任意な組合を採用しても良い。コンピュータ読み取り可能な媒体は、コンピュータ読み取り可能な信号媒体又はコンピュータ読み取り可能な記憶媒体である。コンピュータ読み取り可能な記憶媒体は、例えば、電気、磁気、光、電磁気、赤外線、又は半導体のシステム、装置又はデバイス、或いは上記ものの任意な組合であるが、これに限定されない。コンピュータ読み取り可能な記憶媒体の更なる具体的な例（網羅していないリスト）には、１つ又は複数のワイヤを具備する電気的な接続、携帯式コンピュータ磁気ディスク、ハードディクス、ランダムアクセスメモリ（ＲＡＭ）、リードオンリーメモリ（ＲＯＭ）、消去可能なプログラマブルリードオンリーメモリ（ＥＰＲＯＭ又はフラッシュ）、光ファイバー、携帯式コンパクト磁気ディスクリードオンリーメモリ（ＣＤ−ＲＯＭ）、光メモリ部材、磁気メモリ部材、又は上記ものの任意で適当な組合を含む。本願において、コンピュータ読み取り可能な記憶媒体は、プログラムを含む又は記憶する任意な有形媒体であってもよく、該プログラムは、命令実行システム、装置又はデバイスに使用される又はそれらと連携して使用されるができる。
【０１００】
コンピュータ読み取り可能な信号媒体には、ベースバンドにおいて伝搬されるデータ信号或いはキャリアの一部として伝搬されるデータ信号を含み、それにコンピュータ読み取り可能なプログラムコードが載っている。このような伝搬されるデータ信号として、複数種類の形態を採用でき、電磁気信号、光信号又はそれらの任意で適当な組合を含んでいるが、これに限定されない。コンピュータ読み取り可能な信号媒体は、コンピュータ読み取り可能な記憶媒体以外の任意なコンピュータ読み取り可能な媒体であってもよく、該コンピュータ読み取り可能な媒体は、命令実行システム、装置又はデバイスによって使用される又はそれと連携して使用されるプログラムを送信、伝搬又は転送できる。
【０１０１】
コンピュータ読み取り可能な媒体に記憶されたプログラムコードは、任意で適正な媒体によって転送されてもよく、無線、電線、光ケーブル、ＲＦ等、又は上記ものの任意で適当な組合が含まれているが、これに限定されない。
【０１０２】
１つ又は複数の種類のプログラミング言語又はそれらの組合で、本発明の操作を実行するためのコンピュータプログラムコードを編集することができ、前記プログラミング言語には、オブジェクト向けのプログラミング言語、例えばＪａｖａ（登録商標）、Ｓｍａｌｌｔａｌｋ、Ｃ＋＋が含まれ、通常のプロシージャ向けプログラミング言語、例えば「Ｃ」言葉又は類似しているプログラミング言語も含まれる。プログラムコードは、完全的にユーザコンピュータに実行されてもよく、部分的にユーザコンピュータに実行されてもよく、１つの独立のソフトウェアパッケージとして実行されてもよく、部分的にユーザコンピュータに実行され且つ部分的に遠隔コンピュータに実行されてもよく、又は完全的に遠隔コンピュータ又はサーバに実行されてもよい。遠隔コンピュータに係る場合に、遠隔コンピュータは、ローカルエリアネットワーク（ＬＡＮ）又は広域ネットワーク（ＷＡＮ）を含む任意の種類のネットワークを介して、ユーザコンピュータ、又は、外部コンピュータに接続できる（例えば、インターネットサービス事業者を利用してインターネットを介して接続できる）。
【０１０３】
本発明における幾つかの実施例において、開示されたデバイス、装置と方法は、他の方法で開示され得ることを理解されたい。例えば、上述した装置は単なる例示に過ぎず、例えば、前記手段の分割は、論理的な機能分割のみであり、実際には、別の方法で分割することもできる。
【０１０４】
前記の分離部品として説明された手段は、物理的に分離されてもよく、物理的に分離されなくてもよく、手段として表される部品は、物理手段でもよく、物理手段でなくてもよく、即ち、１つの地方に位置してもよく、又は複数のネットワーク手段上に分布されても良い。実際の必要に基づいて、その中の部分又は全部手段を選択して、本実施例の態様の目的を実現することができる。
【０１０５】
また、本発明の各実施例における各機能手段は、１つの処理手段に集積されてもよく、各手段が物理的に独立に存在してもよく、2つ以上の手段が１つの手段に集積されても良い。上記集積された手段は、ハードウェアの形式を採用して実現してもよく、ハードウェアとソフトウェアとの機能合わせ手段の形式を採用して実現しても良い。
【０１０６】
以上は、本発明の好ましい実施例のみであり、本発明を制限しなく、本発明の精神および原則の範囲内で行われた変更、同等の置換、改善等は、全て本発明の請求の範囲に含めるべきである。
【図１】
2019091449.tif 000003
【図２】
2019091449.tif 000004
【図３】
2019091449.tif 000005
【図４】
2019091449.tif 000006
【図５】
2019091449.tif 000007